【事件の表示】
　特願２００２−　２１２７８「スチルカメラ」拒絶査定不服審判事件〔平成１５年　８月　８日出願公開、特開２００３−２２４８１２〕について、次のとおり審決する。
【結　論】
　本件審判の請求は、成り立たない。
【理　由】
第１　経緯
　１　手続
　本件出願は、平成１４年１月３０日の出願であって、平成１７年１１月８日付けで拒絶理由の通知がなされ、これに対し、平成１８年１月１６日付けで意見書が提出されると同時に手続補正がなされたが、平成１８年２月１０日付けで拒絶査定がなされたものである。
　本件は、本件出願についてなされた上記拒絶査定を不服として平成１８年３月１６日付けで請求された拒絶査定不服審判であって、平成１８年４月１４日付けで手続補正（明細書又は図面について請求の日から３０日以内にする補正）がなされたものである。
　
　２　査定
　原査定の理由は、概略、以下のとおりである。
［査定の理由］
　本件出願の請求項１から請求項３までに係る発明は、下記刊行物に記載された発明に基づいて当業者が容易に発明をすることができたものであるから、特許法第２９条第２項の規定により、特許を受けることができない。
　　　　　　　　　　　　記
　刊行物１：特開２００１−２８５７７９号公報
　刊行物２：特開平６−２３３２２５号公報
　刊行物３：特開２０００−３２４４３０号公報
　
第２　本願発明
　本件出願の請求項１及び請求項２に係る発明は、本件出願明細書及び図面（平成１８年１月１６日付け及び平成１８年４月１４日付けの各手続補正書により補正された明細書及び図面）の記載からみて、それぞれ、その特許請求の範囲の請求項１及び請求項２に記載したとおりの「スチルカメラ」であると認められるところ、そのうち、請求項１に係る発明（以下「本願発明」ともいう。）は、下記のとおりのものである。
　
　　　　　　　　　記（請求項１に係る発明）
　光学系から入射された光を電気信号に変換する光電変換手段と、前記電気信号を画像データとして蓄積する画像蓄積手段と、前記蓄積された画像データに対して所定の画像処理を施して撮影画像データとして出力する画像処理手段と、前記撮影画像データを画像ファイルとして記録するデータ記録手段とを備えていて、一回の撮影操作が行われる毎に画像処理により調整可能な画像パラメータの値が各々異なった複数の撮影画像データを出力し、該複数の撮影画像データに対応した複数の画像ファイルとして記録するオートブラケット撮影を可能とするスチルカメラにおいて、
　前記複数の画像ファイルの各々にファイル名を添付するファイル名添付手段が、備えられ、そして、
　前記ファイル名が、前記複数の画像ファイルはオートブラケット撮影された複数の撮影画像データに対応した画像ファイルであることと、各々が関連する一組の画像ファイルであることと、撮影画像データの各々毎に変更された前記画像パラメータとを示している
　ことを特徴とするスチルカメラ。
　
第３　当審の判断
　１　刊行物の記載
　原査定の拒絶の理由に引用された刊行物１（特開２００１−２８５７７９号公報）には、「デジタルカメラ、画像保存方法、画像再生方法、画像再生装置および記録媒体」（発明の名称）に関し、図面と共に次に掲げる事項が記載されている。
　
　　ア　「被写体を撮影するデジタルカメラであって、
被写体の画像を取得する撮像手段と、
前記撮像手段により取得された画像を記録する記録手段と、
撮影条件の少なくとも１つを変更しつつ複数回の撮影を連続的に行う撮影制御手段と、
前記撮影制御手段による連続撮影により取得された画像群のそれぞれの画像にグループ信号を付与する信号付与手段と、を備えることを特徴とするデジタルカメラ。」（請求項１）
　
　　イ　「【０００４】以下の説明において、露出値等の撮影条件を変化させながら連続的に行われる撮影をブラケット撮影といい、ブラケット撮影にて取得される各画像をブラケット画像という。」
　
　　ウ　「【００３１】合焦表示ランプ１３５が点灯した後、レリーズボタン１２４が全押しされることによりデジタルカメラ１において撮影動作が実行される。すなわち、レンズユニット１１２内のレンズを介して得られる被写体像が電荷結合素子配列であるＣＣＤにより画像信号として取得され、適宜、メモリに保存される。
【００３２】また、撮影モードにおいて撮影動作切替ボタン１２５が操作されると、上述の通常撮影から、連写撮影、セルフ撮影、ブラケット撮影へと順次切り替えられる。連写撮影では、主として動く被写体を撮影することを目的として露出値、焦点距離、フラッシュの発光等の撮影条件（撮影効果）を変更することなく複数回の撮影が高速かつ連続的に行われる。セルフ撮影ではレリーズボタン１２４を操作した後、所定の設定時間が経過すると撮影動作が行われる。また、ブラケット撮影では同一被写体の撮影を前提として異なる撮影効果を有する複数枚の画像を得るために露出値を変更しつつ複数回の撮影が連続的に行われる。」
　
　　エ　「【００３５】図４はデジタルカメラ１の構成を示すブロック図である。図４に示すようにデジタルカメラ１では主制御部１４に各種構成が電気的に接続されることにより、主制御部１４がデジタルカメラ１の全体動作を制御するようになっている。主制御部１４には各種演算処理を行うＣＰＵ１４１および動作プログラム１４３を記憶するメモリ１４２を有しており、ＣＰＵ１４１がプログラム１４３に従って演算処理を行うことによりデジタルカメラ１の動作が実現される。
【００３６】レンズユニット１１２により形成された被写体像の画像信号を発生するＣＣＤ１５１は信号処理部１５２を介して主制御部１４に接続され、ＣＣＤ１５１からの画像信号は信号処理部１５２によりデジタル信号に変換されるとともに適宜必要な画像処理が施される。」
　
　　オ　「【００４２】記録部１５８は信号処理部１５２からの画像信号を記録するためにカメラ本体に固定的に設けられた画像メモリであり、記録部１５８に取得された画像信号およびヘッダは画像データとして必要に応じてカードスロット１３１を介して記録媒体であるメモリカード９に保存される。メモリカード９としては、例えば、ＳＲＡＭが利用され、複数枚の画像が記録可能とされる。メモリカード９に画像を記録することによりメモリカード９を介して画像データを別途用意されたコンピュータへと転送することができる。」
　
　　カ　「【００５０】次に、露出値を変化させつつ３つの画像を連続的に取得するブラケット撮影におけるデジタルカメラ１の動作について説明する。
【００５１】撮影動作切替ボタン１２５によりブラケット撮影が選択された場合においても、レリーズボタン１２４が半押しとされると自動焦点制御が行われる（ステップＳ１１，Ｓ１２）。次に、ブラケット撮影であると判断された場合、ブラケット撮影動作へと移行する（ステップＳ１３，Ｓ２）。
【００５２】図７に示すように、ブラケット撮影動作では、まず、基準露出値が第２露出値として設定され、第１露出値として基準露出値よりも１ＥＶだけ大きい露出値が設定され、第３露出値として基準露出値よりも１ＥＶだけ小さい露出値が設定される（ステップＳ２１）。
【００５３】その後、レリーズボタン１２４が全押しされると（ステップＳ２２）、第１露出値から第２、第３露出値へと露出値を変更しながら連続的に撮影が行われる（ステップＳ２３〜Ｓ２５）。これにより、第１露出値にて撮影された第１画像、第２露出値にて撮影された第２画像、および、第３露出値にて撮影された第３画像が取得され、各画像のデータが記録部１５８に記録される。
【００５４】各画像データには順番にコマ番号が付与されるが、このとき第１ないし第３画像にはブラケット画像群であることを示すグループ信号が信号付与部１６２により付与される（ステップＳ２６）。さらに、第２露出値にて撮影された画像のデータには基準露出値にて撮影されたことを示す代表信号が信号付与部１６２により付与される（ステップＳ２７）。以下の説明において代表信号が付与された画像を代表画像と呼ぶ。
【００５５】なお、グループ信号の付与は各画像が記録されるごとに、あるいは、各画像が取得される際に（すなわち、記録部１５８に記録される直前または同時に）行われてもよい。代表信号の付与も第２画像が記録された直後であってもよく、第２画像が取得される際に行われてもよい。すなわち、ステップＳ２３〜Ｓ２７の順序は可能な範囲で任意に変更されてよい。
【００５６】その後、必要に応じて操作者の操作により第１ないし第３画像のデータがメモリカード９に保存される。」
　
　　キ　「【００５９】図８はメモリカード９内の複数の画像のデータの構造を模式的に示す図である。図８において符号５ａ〜５ｅは画像データを示しており、各画像データ５ａ〜５ｅはそれぞれ画像サイズやコマ番号等を示すヘッダ５１と画像信号５２とを含む。また、画像データ５ｂ，５ｃ，５ｄはブラケット撮影により取得された画像群のデータを示しており、画像データ５ｂ〜５ｄにはグループ信号５１１が付与されており、画像データ５ｃには代表信号５１２が付与されている。
【００６０】次に図８に例示する構造を有する複数の画像のデータに基づいて表示部１３２に画像を再生表示する再生動作について説明する。図９は再生動作においてＣＰＵ１４１がプログラム１４３に従って演算処理を行うことにより実現される機能構成を他の構成とともに示すブロック図であり、図９中の表示制御部１６３、判定部１６３１および合成部１６３２がＣＰＵ１４１等により実現される機能を示している。また、図１０および図１１は再生動作の際のデジタルカメラ１の動作の流れを示す流れ図である。」
　
　　ク　「【００６８】図１２はメモリカード９に保存されている複数の画像の例をコマ番号順に配列して示す図である。図１２においてコマ番号０１〜０３およびコマ番号０６〜０８にて示される画像群はそれぞれブラケット撮影にて取得された画像群である。他の画像は通常撮影にて取得された画像である。
【００６９】図１３は、図１２に示す複数の画像に対して再生動作が行われた際の表示部１３２の表示の様子を示す図である。図１３に示すように表示部１３２にはブラケット撮影により取得された画像群に関しては代表画像（コマ番号０２，０７の画像）のみが表示される。また、代表画像の右上には、代表信号が付与されたブラケット画像であることを示す代表表示６１として文字「Ｂ」が合成されている。
【００７０】このように、代表画像とともに代表表示６１を表示部１３２に表示することにより、この画像がブラケット撮影により得られた画像群のうちの１つであり、他のブラケット画像が存在することを使用者に容易に認識させることができる。また、ブラケット画像群のうち代表画像のみが表示されることから、一度に異なる被写体の多くの画像を表示することができ、限られた表示面積で多くの被写体の画像を迅速に確認することができる。
　　　・・・（中略）・・・
【００７３】選択された画像が代表画像の場合には（ステップＳ４１）、グループ信号を参照してブラケット撮影により取得された画像群が特定され、サムネイル画像にて一覧表示される（ステップＳ４４）。すなわち、ブラケット画像群の表示部１３２への表示が代表信号の有無に関わらず可能とされる。図１３に例示する表示において、コマ番号０２の画像が選択された場合には、図１４に示すようにコマ番号０２の画像とともにこの画像に関連付けられた他の画像が縮小表示される。このとき、各画像には撮影条件である露出値の変更内容を示す表示が合成部１６３２により合成される。」
　
　　ケ　「【００８７】第２の実施の形態に係るデジタルカメラ１では、撮影制御部１６１（図５）がフラッシュ駆動部１５７の制御を行いつつ連続撮影を行うことが可能とされている。したがって、ブラケット撮影動作（図６：ステップＳ２）において図７に示した露出ブラケット撮影以外に、図１７に示すフラッシュブラケット撮影も可能とされている。
【００８８】フラッシュブラケット撮影はフラッシュ光の発光量を変更するという点を除いて露出ブラケット撮影と同様の動作であり、まず、フラッシュ光の発光量として第１ないし第３発光量が設定される（ステップＳ５１）。ここで、第２発光量が通常のフラッシュ光の発光量であり、第１発光量として第２発光量よりも多い発光量、第３発光量として第２発光量よりも小さい発光量が設定される。
【００８９】レリーズボタン１２４が全押しされると（ステップＳ５２）、第１ないし第３発光量にて順次撮影が行われ、第１ないし第３画像が取得される（ステップＳ５３〜Ｓ５５）。その後、第１ないし第３画像にそれぞれに信号付与部１６２によりグループ信号が付与され（ステップＳ５６）、第２画像に代表信号が付与される（ステップＳ５７）。これにより、図８に例示した構造と同様の構造にてフラッシュブラケット撮影により取得された画像群のデータが記録部１５８、あるいは、メモリカード９に記録される。
【００９０】なお、露出ブラケット撮影やフラッシュブラケット撮影が行われた際には、グループ信号にブラケット撮影の種類も含められる。」
　
　　コ　「【００９４】なお、ブラケット撮影はどのような種類であっても利用可能であり、例えば、焦点距離を変化させつつ連続撮影を行うブラケット撮影、画像の色温度、コントラスト（例えば、エッジ強調の度合い）、色相等を変化させつつ連続撮影を行うブラケット撮影も利用可能である。」
　
　２　引用発明
　刊行物１の前掲記載ア乃至コ及び図面によると、「レリーズボタン１２４が全押しされると（ステップＳ２２）、第１露出値から第２、第３露出値へと露出値を変更しながら連続的に撮影が行われる（ステップＳ２３〜Ｓ２５）」（前掲記載カ）デジタルカメラが記載されており、刊行物１のデジタルカメラも、一回の撮影操作が行われる毎に露出値などの撮影条件を変更しつつ複数回の撮影を連続的に行い自動的に複数の撮影画像データを得る、いわゆるオートブラケット撮影を可能とするものといえるから、刊行物１には、下記の発明（以下「引用発明」ともいう。）が記載されていると認められる。
　
　　　　　　　　　　記（引用発明）
　被写体の画像を取得する撮像手段と、
　前記撮像手段により取得された画像を記録する記録手段とを備えていて、
　一回の撮影操作が行われる毎に露出値などの撮影条件を変更しつつ複数回の撮影を連続的に行い複数の撮影画像データを得て記録するオートブラケット撮影を可能とするデジタルカメラにおいて、
　連続撮影により取得された画像群のそれぞれの画像にグループ信号を付与する信号付与手段を備えることを特徴とするデジタルカメラ。
　
　３　対比
　本願発明と引用発明とを対比する。
　
　（ａ）スチルカメラ
　引用発明のデジタルカメラは、本願発明同様に、「スチルカメラ」ということもできる。
　
　（ｂ）光電変換手段
　本願発明は「光学系から入射された光を電気信号に変換する光電変換手段」を備えている。引用発明は「被写体の画像を取得する撮像手段」を備えている。引用発明はデジタルカメラであり、「被写体の画像を取得する撮像手段」は本願発明同様に「光学系から入射された光を電気信号に変換する光電変換手段」を備えるものと認められる。
　
　（ｃ）オートブラケット撮影
（ブラケット撮影の手法）
　本願発明のオートブラケット撮影は「一回の撮影操作が行われる毎に画像処理により調整可能な画像パラメータの値が各々異なった複数の撮影画像データ」を得る（出力する）。そして「前記電気信号を画像データとして蓄積する画像蓄積手段と、前記蓄積された画像データに対して所定の画像処理を施して撮影画像データとして出力する画像処理手段と」により「画像処理により調整可能な画像パラメータの値」を異ならせて「複数の撮影画像データ」を得る。本願発明の「画像処理により調整可能な画像パラメータ」とは、本件出願明細書段落【００１６】【００２２】【００２３】【００３１】【００３２】の記載から、具体的には、色合い（ホワイトバランスゲイン、色変換係数）、輪郭（エッジ強調係数）、明るさ（ガンマ変換係数）であり、本願発明の「画像処理により調整可能な画像パラメータの値が各々異なった複数の撮影画像データ」は、ガンマ変換係数等を異ならせた画像処理により、「明るさなどが各々異なった複数の撮影画像データ」であるといえる。
　引用発明のオートブラケット撮影は、「一回の撮影操作が行われる毎に露出値などの撮影条件を変更しつつ複数回の撮影を連続的に行い複数の撮影画像データを得」るものである。「露出値などの撮影条件を変更しつつ複数回の撮影を連続的に行」うことで得られる「複数の撮影画像データ」は、「明るさなどが各々異なった複数の撮影画像データ」であるといえる。
　「明るさなどが各々異なった複数の撮影画像データ」を得ることは「ブラケット撮影」といわれる撮影であり、「ブラケット撮影」が一回の撮影操作で行われるから「オート」ということができ、本願発明も引用発明も同様の「オートブラケット撮影」である。
　そうすると、本願発明と引用発明とは「一回の撮影操作が行われる毎に複数の撮影画像データを得る（出力する）」オートブラケット撮影を可能とする点で一致する。しかしながら、『ブラケット撮影の手法』として、本願発明では「前記電気信号を画像データとして蓄積する画像蓄積手段と、前記蓄積された画像データに対して所定の画像処理を施して撮影画像データとして出力する画像処理手段と」により「画像処理により調整可能な画像パラメータの値」を異ならせることに対し、引用発明では、「露出値などの撮影条件を変更しつつ複数回の撮影を連続的に行」う点で相違する。
　
（ブラケット撮影情報の記録）
　本願発明は、「前記撮影画像データを画像ファイルとして記録するデータ記録手段」を備えており、（オートブラケット撮影により得られる）「該複数の撮影画像データに対応した複数の画像ファイルとして記録する」ものである。そして、その記録において「前記複数の画像ファイルの各々にファイル名を添付するファイル名添付手段が、備えられ、そして、前記ファイル名が、前記複数の画像ファイルはオートブラケット撮影された複数の撮影画像データに対応した画像ファイルであることと、各々が関連する一組の画像ファイルであることと、撮影画像データの各々毎に変更された前記画像パラメータとを示している」ものである。
　ファイル名が示す「前記複数の画像ファイルはオートブラケット撮影された複数の撮影画像データに対応した画像ファイルであること」は、記録された画像ファイルが、（通常撮影によるものではなく）オートブラケット撮影されたものであることを示すものである。「各々が関連する一組の画像ファイルであること」は、記録された画像ファイルが、一回の撮影操作によるオートブラケット撮影で得られる関連した一組のものであることを示すものである。「撮影画像データの各々毎に変更された前記画像パラメータ」は、オートブラケット撮影で得られる一組の複数の撮影画像データで異なったものとなっているパラメータであり、オートブラケット撮影で「撮影画像データの各々毎に変更された撮影項目」ということができる。
　ファイル名が示すこれらのことは「ブラケット撮影情報」ということができ、そして、これらのことを示すファイル名を添付するということは、「ブラケット撮影情報を記録する」ということができる。
　引用発明は「撮像手段により取得された画像を記録する記録手段」を備えており、オートブラケット撮影により得られる複数の撮影画像データは記録される。そして、その記録において、「連続撮影により取得された画像群のそれぞれの画像にグループ信号を付与する信号付与手段を備え」ている。引用発明の「グループ信号」は「連続撮影により取得された画像群のそれぞれの画像に」付与されるものであって、刊行物１には、グループ信号を参照してブラケット撮影により取得された画像群が特定されることが記載（前掲記載ク）されていることから、引用発明の「グループ信号」は（記録された複数の画像データが）（通常撮影によるものではなく）「オートブラケット撮影された複数の撮影画像データに対応した画像データであること」を示しているといえる。そして、刊行物１にはグループ信号を参照して画像群が特定されることが記載（前掲記載ク、段落【００７３】）されていることから、記録された複数の画像データが一回の撮影操作によるオートブラケット撮影で得られる関連した一組のものであることを示すものといえ、「各々が関連する一組の画像データであること」を示しているといえる。また、刊行物１には、露出ブラケット撮影やフラッシュブラケット撮影が行われた際には、グループ信号にブラケット撮影の種類も含められることも記載（前掲記載ケ、コ）されており、ブラケット撮影の種類は変更される露出値などの撮影条件であるから、引用発明の「グループ信号」は「撮影画像データの各々毎に変更された撮影項目」を示すということができる。引用発明の「グループ信号」が示すといえるこれらのことは「ブラケット撮影情報」ということができ、そして、これらのことを示すグループ信号を付与するということは、「ブラケット撮影情報を記録する」ということができる。
　そうすると、本願発明と引用発明とは、「ブラケット撮影情報」すなわち「オートブラケット撮影された複数の撮影画像データに対応した画像データであること」「各々が関連する一組の画像データであること」「撮影画像データの各々毎に変更された撮影項目」を記録する点で一致する。
　しかしながら、上記「ブラケット撮影の手法」の相違により、「ブラケット撮影情報」の「撮影画像データの各々毎に変更された撮影項目」が、本願発明では、「撮影画像データの各々毎に変更された前記画像パラメータ」であることに対し、引用発明では「撮影画像データの各々毎に変更された前記画像パラメータ」ではない点で相違する。
　また、（ｄ）記録手段で後述するように、記録手段の相違によって、「ブラケット撮影情報」の記録が、本願発明では、「ファイル名」でなされることに対し、引用発明では「ファイル名」でなされていない点で相違する。そして、同様に記録手段の相違によって、「ブラケット撮影情報」の「オートブラケット撮影された複数の撮影画像データに対応した画像データであること」「各々が関連する一組の画像データであること」において、そのような情報が、本願発明では「画像ファイル」の情報として示されることに対し、引用発明では「画像ファイル」の情報として示されていない点で相違する。
　
　（ｄ）記録手段
　上記（ｃ）でも述べたように、本願発明は、「前記撮影画像データを画像ファイルとして記録するデータ記録手段」を備えており、（オートブラケット撮影により得られる）「該複数の撮影画像データに対応した複数の画像ファイルとして記録する」ものであり、「前記複数の画像ファイルの各々にファイル名を添付するファイル名添付手段」が備えられ、ファイル名が「ブラケット撮影情報」を示している。
　引用発明は「撮像手段により取得された画像を記録する記録手段」を備えており、オートブラケット撮影により得られる複数の撮影画像データも記録されるものであり、「連続撮影により取得された画像群のそれぞれの画像にグループ信号を付与する信号付与手段を備え」ており、グループ信号が「ブラケット撮影情報」を示している。
　本願発明も引用発明も画像データを記録し、「ブラケット撮影情報」も記録しているから、本願発明と引用発明とは「撮影画像データを記録するデータ記録手段」を備え、「ブラケット撮影情報」を記録する点で一致する。しかしながら、本願発明では、画像データの記録を「画像ファイル」として記録し、「前記複数の画像ファイルの各々にファイル名を添付するファイル名添付手段」を備えて「ブラケット撮影情報」の記録をファイル名でなすことに対し、引用発明では「画像ファイル」として記録するものではなく、「前記複数の画像ファイルの各々にファイル名を添付するファイル名添付手段」を備えておらず、「ブラケット撮影情報」の記録をファイル名でなしていない点で相違する。
　そして、本願発明では、画像データの記録を「画像ファイル」として記録することに対し、引用発明では「画像ファイル」として記録するものではないことから、「ブラケット撮影情報」の「オートブラケット撮影された複数の撮影画像データに対応した画像データであること」「各々が関連する一組の画像データであること」において、そのような情報が、本願発明では「画像ファイル」の情報として示されることに対し、引用発明では「画像ファイル」の情報として示されていない点で相違する。
　
　４　一致点・相違点
　以上の対比を踏まえると、本願発明と引用発明との一致点および相違点は、下記のとおりである。
　
　　　　　　　　記（一致点）
　光学系から入射された光を電気信号に変換する光電変換手段と、撮影画像データを記録するデータ記録手段とを備えていて、
　一回の撮影操作が行われる毎に複数の撮影画像データを出力し、該複数の撮影画像データを記録するオートブラケット撮影を可能とするスチルカメラにおいて、
　複数の画像データはオートブラケット撮影された複数の撮影画像データに対応した画像データであることと、各々が関連する一組の画像データであることと、撮影画像データの各々毎に変更された撮影項目とを示す「ブラケット撮影情報」を記録する
　ことを特徴とするスチルカメラ。
　
　　　　　　　　記（相違点）
　相違点１（オートブラケット撮影の相違）
　『ブラケット撮影の手法』として、本願発明では「前記電気信号を画像データとして蓄積する画像蓄積手段と、前記蓄積された画像データに対して所定の画像処理を施して撮影画像データとして出力する画像処理手段と」により「画像処理により調整可能な画像パラメータの値」を異ならせるものであり、「ブラケット撮影情報」の「撮影画像データの各々毎に変更された撮影項目」が「撮影画像データの各々毎に変更された前記画像パラメータ」であることに対し、引用発明では、「露出値などの撮影条件を変更しつつ複数回の撮影を連続的に行」うものであって、「撮影画像データの各々毎に変更された撮影項目」が「撮影画像データの各々毎に変更された前記画像パラメータ」でない点。
　
　相違点２（記録手段の相違）
　本願発明では、画像データの記録を「画像ファイル」として記録し、「前記複数の画像ファイルの各々にファイル名を添付するファイル名添付手段」を備えて「ブラケット撮影情報」の記録をファイル名でなし、「ブラケット撮影情報」の「オートブラケット撮影された複数の撮影画像データに対応した画像データであること」「各々が関連する一組の画像データであること」において、そのような情報が「画像ファイル」の情報として示されることに対し、引用発明では「画像ファイル」として記録するものではなく、「前記複数の画像ファイルの各々にファイル名を添付するファイル名添付手段」を備えておらず、「ブラケット撮影情報」の記録をファイル名でなしておらず、「ブラケット撮影情報」の「オートブラケット撮影された複数の撮影画像データに対応した画像データであること」「各々が関連する一組の画像データであること」において、そのような情報が「画像ファイル」の情報として示されていない点。
　
　５　各相違点の判断
　（１）相違点１（オートブラケット撮影の相違）について
　スチルカメラにおけるオートブラケット撮影の手法として、光学レンズから入射された光を電気信号に変換する光電変換手段と、前記電気信号を画像データとして蓄積する画像蓄積手段と、前記蓄積された画像データに対して所定の画像処理を施して撮影画像データとして出力する画像処理手段と、前記撮影画像データを記録するデータ記録手段とを備えていて、一回の撮影操作が行われる毎に画像処理により調整可能な画像パラメータの値が各々異なった複数の撮影画像データを出力し、該複数の撮影画像データとして記録することは周知（本件出願明細書の【従来の技術】欄で掲げられた特開２００１−２０３９３４号公報、特開２００１−２４９２８号公報参照）であり、引用発明のオートブラケット撮影における『ブラケット撮影の手法』として採用することで、相違点１に係る本願発明の構成「「前記電気信号を画像データとして蓄積する画像蓄積手段と、前記蓄積された画像データに対して所定の画像処理を施して撮影画像データとして出力する画像処理手段と」により「画像処理により調整可能な画像パラメータの値」を異ならせること」とし、「ブラケット撮影情報」の「撮影画像データの各々毎に変更された撮影項目」を「撮影画像データの各々毎に変更された前記画像パラメータ」とすることは当業者が容易に想到できたことである。
　
　（２）相違点２（記録手段の相違）について
　スチルカメラにおいて、各撮影画像データを画像ファイルとし、その画像ファイルの各々にファイル名を添付することは常套技術であり（例えば、前掲した特開２００１−２４９２８号公報、査定の理由で示した刊行物２である特開平６−２３３２２５号公報参照）、そのようなファイル名の添付が「ファイル名添付手段」によって行われることも自明の事項であるから、引用発明において、画像データの記録を「画像ファイル」として記録し、「前記複数の画像ファイルの各々にファイル名を添付するファイル名添付手段」を設けることは、上記常套技術を採用することで当業者が容易に想到できたことである。
　そして、査定の理由で示した刊行物２である上記特開平６−２３３２２５号公報には、単写撮影と連写撮影とをおこなう場合、ファイル名に単写画像か連写画像か（Ｓ、Ｃの文字）、関連する一組の画像か（Ｃ１、Ｃ２）、連写の順番と連写の数（０１、０２等）を記録し、ファイル名で単写画像か連写画像か（Ｓ、Ｃの文字）、関連する一組の画像か（Ｃ１、Ｃ２）、連写の順番と連写の数（０１、０２等）を示すことが記載されている。単写画像か連写画像か（Ｓ、Ｃの文字）、関連する一組の画像か（Ｃ１、Ｃ２）、連写の順番と連写の数（０１、０２等）は、画像ファイルの撮影情報ということができ、連写撮影は一組の複数の画像を得て、組として纏まった取り扱いをされるものであって、引用発明のオートブラケット撮影と共通するものであるから、引用発明に常套技術を採用して画像データを「画像ファイル」として記録する際、刊行物２記載の画像ファイルの撮影情報の記録の手法を引用発明の「ブラケット撮影情報」の記録に採用して「ブラケット撮影情報」をファイル名に記録することで、「ブラケット撮影情報」の「オートブラケット撮影された複数の撮影画像データに対応した画像データであること」「各々が関連する一組の画像データであること」において、そのような情報を「画像ファイル」の情報として示すことは、当業者が容易に想到できたことである。そして、「ブラケット撮影情報」をファイル名に記録するのであるから、相違点１について述べたように、「ブラケット撮影情報」を「撮影画像データの各々毎に変更された前記画像パラメータ」とした時、「撮影画像データの各々毎に変更された前記画像パラメータ」をファイル名に記録し、ファイル名が「撮影画像データの各々毎に変更された前記画像パラメータ」を示すものとなるのは自然である。
　
　（３）総合
　上記のように、相違点１、及び相違点２に係る本願構成は、いずれも当業者が容易に想到できたことであるところ、相違点１に係るオートブラケット撮影の手法を相違点２に係る記録手段の元で実現するために、相違点１に係る本願発明の構成と相違点２に係る本願構成とを総合することは、当業者が自然となす事といえるから、相違点１、及び相違点２に係る本願構成を総合して、本願発明とすることは、当業者が容易に想到できたことであり、また、その効果も当業者が予測できたものであるから、本願発明は、刊行物１に記載された発明、刊行物２に記載された発明及び周知・常套技術に基づいて、当業者が容易に発明できたものである。
　
　６　まとめ
　以上のように、本願発明は、刊行物１に記載された発明、刊行物２に記載された発明及び周知・常套技術に基づいて、当業者が容易に発明をすることができたものである。
　
第４　むすび
　以上、本件出願の請求項１に係る発明は、刊行物１に記載された発明、刊行物２に記載された発明及び周知・常套技術に基づいて、当業者が容易に発明をすることができたものであるから、特許法第２９条第２項の規定により特許を受けることができない。
　したがって、残る請求項２に係る発明について検討するまでもなく、本件出願は拒絶をすべきものである。
　よって、結論のとおり審決する。